(57)【要約】【課題】  包装生地の無駄を削減することのできる包装材を提供する。また、保管時や運搬時のスペースを従来に比べ省くことのできる包装材を提供する。【解決手段】  方形の包装材シートに、当該包装材シートをＡ部とＢ部の２つの部分に区分する切り込み１を当該包装材シートの長手方向に沿って設けると共に、  Ａ部に対しＢ部を略９０度回転させてＡ部の中央部とＢ部の中央部とを重ねる回転手段２を包装材シートへの切り込みによって形成し、かつ、Ａ部とＢ部が当該回転手段２においては連結されている。【選択図】  図１
0003119354.tif 000002
【実用新案登録請求の範囲】
【請求項１】
方形の包装材シートに、当該包装材シートをＡ部とＢ部の２つの部分に区分する切り込みを当該包装材シートの長手方向に沿って設けると共に、
前記Ａ部に対し前記Ｂ部を略９０度回転させてＡ部の中央部とＢ部の中央部とを重ねる回転手段を前記包装材シートへの切り込みによって形成し、かつ、前記Ａ部とＢ部が当該回転手段においては連結されていることを特徴とした包装材。
【請求項２】
前記回転手段は、前記Ａ部に想定された第１の折り曲げ線分と、前記Ｂ部に想定された第２の折り曲げ線分と、当該第１及び第２の折り曲げ線分の各端部を結ぶ交差しない切り込みとにより構成され、前記第１の折り曲げ線分と、前記第２の折り曲げ線分との成す角を略45度に設定したことを特徴とする請求項１記載の包装材。
【考案の詳細な説明】
【技術分野】
【０００１】
本考案は、包装材に係り、特に、サイズが多様なタイル等の包装に好適な包装材に関する。
【背景技術】
【０００２】
この種の従来の包装材は、正方形のダンボールの包装生地から、四つ角を方形に切り落として十字状とし、これにより十字状の中央の載置面とそこから四方に延びる４つの腕を形成し、載置面に置いたタイル等の被包装体を当該４つの腕を折り曲げて包むようにして、包装するようになっていた（例えば、特許文献１）。
【特許文献１】特開平７−１５６９８３号公報
【０００３】
しかしながら、上記従来例にあっては、もとの包装生地の四つ角を切り落として十字状に形成するため、包装生地に無駄を生じる不都合があった。また、使用前の包装材の束をを倉庫に保管する場合や運送のため荷室に積み込んだ場合、その十字状という形状のために四つ角の部分にデッドスペースを生じ、省スペースの妨げとなる不都合があった。
【考案の開示】
【考案が解決しようとする課題】
【０００４】
本考案は、かかる従来例の有する不都合を改善し、特に、包装生地の無駄を削減することのできる包装材を提供する。また、保管時や運搬時のスペースを従来に比べ省くことのできる包装材を提供する。
【課題を解決するための手段】
【０００５】
上記課題を解決するため、本考案では、方形の包装材シートに、当該包装材シートをＡ部とＢ部の２つの部分に区分する切り込みを当該包装材シートの長手方向に沿って設ける。更に、Ａ部に対しＢ部を略９０度回転させてＡ部の中央部とＢ部の中央部とを重ねる回転手段を包装材シートへの切り込みによって形成する。（Ａ部とＢ部は当該回転手段においては連結されている。）
【０００６】
回転手段の構成例としては、Ａ部に想定された第１の折り曲げ線分と、Ｂ部に想定された第２の折り曲げ線分と、当該第１及び第２の折り曲げ線分の各端部を結ぶ交差しない切り込みとにより構成する。第１の折り曲げ線分と、第２の折り曲げ線分との成す角は略45度に設定する。
【０００７】
そして、回転手段を利用してＡ部とＢ部を重ねると、１枚の方形の包装材が、十字状の外観に変形するので、その十字状をなす４つの腕で、被包装体を包装することができる。
【考案の効果】
【０００８】
例えば、３×３の正方形の４つ角から、１×１の正方形を切り落として十字状にした従来の包装材を考えてみる。これと同じ面積の包装材を得るためには、本考案では２×３の長方形の包装材を切り出せば足りる。なぜなら、例えば１×３のＡ部に対し１×３のＢ部を略９０度回転させて重ねることで、上記３×３の生地から切り出した従来の包装材と同等の十字状の外観を得ることができるからである。
【０００９】
よって、本考案の包装材によれば、従来に比べ包装生地を節約して無駄を削減することができ、また、使用前の保管時や運搬時のスペースも従来に比べ省くことができる。
【考案を実施するための最良の形態】
【００１０】
以下、本考案の一実施形態を図面を参照しつつ説明する。
【００１１】
図１は、包装材の平面図である。長方形の包装材シートには、当該包装材シートをＡ部とＢ部の２つの部分に区分する切り込み１が、当該包装材シートの長手方向に沿って設けられている。この切り込み１は回転手段２に接続されている。回転手段２は、Ａ部に対しＢ部を９０度回転させてＡ部の中央部とＢ部の中央部とを重ねるように、包装材シートへの切り込みによって形成されている。一方、Ａ部とＢ部は当該回転手段２においては連結されている。
【００１２】
これを更に詳述すると、本実施形態において、包装材シートの素材は、ダンボールである。切り込み１は、包装材シートの長手方向の辺と平行に設けられている。また、切り込み１は、包装材シート短手方向の辺の略中央から開始し、包装材シートの中央に位置する回転手段２に接続するまで直線状に切り込まれている。本実施形態において、切り込み１の開始位置は、短手方向の辺の中央よりも幾分左に寄った位置に配置されている。このため、包装材シートは、Ａ部よりもＢ部のほうが幾分面積が広く取られている。
【００１３】
回転手段２は、Ａ部に想定された第１の折り曲げ線分２Ａと、Ｂ部に想定された第２の折り曲げ線分２Ｂと、当該第１及び第２の折り曲げ線分２Ａ，２Ｂの各端部を結ぶ交差しない切り込み２Ｃ，２Ｃとにより構成されている。第１の折り曲げ線分２Ａと、第２の折り曲げ線分２Ｂとの成す角は45度に設定されている。更に具体的には、第２の折り曲げ線分２Ｂは、包装材シートの長手方向の辺と平行に想定され、一方、第１の折り曲げ線分２Ａは、第２の折り曲げ線分２Ｂとの距離を隔てて、当該第２の折り曲げ線分２Ｂと４５度の角度をもって想定されている。第１の折り曲げ線分２Ａの長さと第２の折り曲げ線分２Ｂの長さは、同じ長さにしている。第１の折り曲げ線分２Ａの端部で、第２の折り曲げ線分２Ｂからの距離が遠い側の端部は、包装材シートのＡ部のほぼ中央に配置されている。また、第２の折り曲げ線分２Ｂの位置は、包装材シート全体のほぼ中央に配置している。
【００１４】
また、第１の折り曲げ線分２Ａの端部と第２の折り曲げ線分２Ｂの端部とを繋ぐ切り込み２Ｃは、当該第１及び第２の折り曲げ線分２Ａ，２Ｂを径とする円弧に沿って設けられている。符号３は、Ｂ部の長手方向の辺に形成された台形状の切り欠きである。
【００１５】
次に、使い方を説明する。図１は包装材の使用前の状態である。これを、包装材として使用する際は、図２に示すような十字状に変形する。このとき、第１及び第２の折り曲げ線分２Ａ，２Ｂを折り曲げて、回転手段２が裏返るようにし、更に、回転手段２がＡ部のシートとＢ部のシートとの間に挟まれるようにする。このように変形すると、図２に示すように、Ａ部とＢ部の中央が重なった十字状となる。
【００１６】
このように、十字状に変形した状態で、図３に示すように、中央にタイル等の任意の大きさの被包装物Ｔを載置し、十字の腕を被包装物Ｔの大きさに合わせて適当な位置から折り曲げ、被包装物Ｔを包装する。
【００１７】
図１に示した使用前の包装材の形態は、方形の包装材シートを切り出すと共に切り込みを入れることで形成できるので製造は容易である。また、従来に比べ製造に必要な包装生地を節約することができ、また、使用前の方形の状態で保管及び運搬ができるので省スペースにも寄与する。
【００１８】
ここで、本考案の範囲は、上記実施形態に限られない。例えば、回転手段２は、第１の折り曲げ線分と第２の折り曲げ線分とのなす角が略４５度になっていれば、上記実施形態と異なる配置であってもＡ部とＢ部とを十字状に重ねることが可能である。切り込み２Cも必ずしも円弧状である必要はない。また、切り込み１の位置や長さ、回転手段２の位置や大きさも調整が可能である。
【図面の簡単な説明】
【００１９】
【図１】本考案の実施形態である包装材の平面図。
【図２】図１に示した包装材の組み立て図。
【図３】図２に示した包装材の使用説明図。
【符号の説明】
【００２０】
１  切り込み
２  回転手段
２Ａ  第１の折り曲げ線分
２Ｂ  第２の折り曲げ線分
２Ｃ  折り曲げ線分の端部を繋ぐ切り込み
Ａ  包装材シートのＡ部
Ｂ  包装材シートのＢ部
【図１】
0003119354.tif 000003
【図２】
0003119354.tif 000004
【図３】
0003119354.tif 000005